(57)【要約】【課題】  マルチスクリーンシステムに表示される１個の画像が、テレビジョン受像機毎に区切られているという違和感を低減させることができる。【解決手段】各テレビジョン受像機３１の表示部４１全体に１つの画像（地面と空からなる風景画像）を表示しても、下３列のテレビジョン受像機３１−７乃至３１−９のLED照明部４２−７乃至４２−９が、その表示部４１に表示されている地面部分の画像に対応する色彩で点灯し、上２列のテレビジョン受像機３１−１乃至３１−６のLED照明部４２−１乃至４２−６が、その表示部４１に表示されている空部分の画像に対応する色彩で点灯するので、従来の場合のように、画像がベズル部分で区切られているという違和感が低減され、全体として見やすい画像を映し出すことができる。【選択図】  図５
2006042191.tif 000002
【特許請求の範囲】
【請求項１】
画像を表示する表示手段と、
前記表示手段に対応する位置に設けられた照明手段と、
前記表示手段に表示される画像に応じて前記照明手段の点灯を制御する制御手段と
を備えることを特徴とする表示装置。
【請求項２】
前記表示手段に表示される前記画像の特徴量を検出する検出手段をさらに備え、
前記制御手段は、前記検出手段により検出された前記特徴量に基づいて、前記表示手段に表示される画像に対応する色彩で、前記照明手段を点灯させる
ことを特徴とする請求項１に記載の表示装置。
【請求項３】
音声を出力する音声出力手段と、
前記音声出力手段により出力される音声の特徴量を検出する検出手段と
をさらに備え、
前記制御手段は、前記検出手段により検出された前記特徴量に基づいて、前記照明手段の点灯を制御する
ことを特徴とする請求項１に記載の表示装置。
【請求項４】
画像を表示する表示手段と、
前記表示手段に対応する位置に設けられた照明手段と
を備える表示装置の表示方法において
前記表示手段に表示される画像に応じて前記照明手段の点灯を制御する制御ステップ
を含むことを特徴とする表示方法。
【請求項５】
画像を表示する表示手段と、
前記表示手段に対応する位置に設けられた照明手段と
を備える表示装置の制御処理をコンピュータに実行させるプログラムであって、
前記表示手段に表示される画像に応じて前記照明手段の点灯を制御する制御ステップ
を含むことを特徴とするプログラム。
【請求項６】
画像を表示する表示手段と、
前記表示手段に対応する位置に設けられた照明手段と、
所定の入力信号を入力する入力手段と、
前記入力手段により入力された前記入力信号に応じて、前記照明手段の点灯を制御する制御手段と
を備えることを特徴とする表示装置。
【請求項７】
前記入力信号は、セキュリティ検知装置の検知信号、または電話機の着信信号である
ことを特徴とする請求項６に記載の表示装置。
【請求項８】
画像を表示する表示手段と、
前記表示手段に対応する位置に設けられた照明手段と、
所定の入力信号を入力する入力手段と
を備える表示装置の表示方法において、
前記入力手段により入力された前記入力信号に応じて、前記照明手段の点灯を制御する制御ステップ
を含むことを特徴とする表示方法。
【請求項９】
画像を表示する表示手段と、
前記表示手段に対応する位置に設けられた照明手段と、
所定の入力信号を入力する入力手段と
を備える表示装置の制御処理をコンピュータに実行させるプログラムであって、
前記入力手段により入力された前記入力信号に応じて、前記照明手段の点灯を制御する制御ステップ
を含むことを特徴とするプログラム。
【請求項１０】
画像を表示する表示手段と、
前記表示手段に対応する位置に設けられた照明手段と、
前記照明手段を、所定のパターンで点灯させる制御手段と
を備えることを特徴とする表示装置。
【請求項１１】
所定の入力信号を入力する入力手段をさらに備え、
前記制御手段は、前記入力信号に応じて、前記照明手段の点灯パターンを変化させる
ことを特徴とする請求項１０に記載の表示装置。
【請求項１２】
前記入力信号は、温度を表す信号、湿度を表す信号、または明るさを表す信号
であることを特徴とする請求項１１に記載の表示装置。
【請求項１３】
画像を表示する表示手段と、
前記表示手段に対応する位置に設けられた照明手段と
を備える表示装置の表示方法において、
前記照明手段を、所定のパターンで点灯させる制御ステップ
を含むことを特徴とする表示方法。
【請求項１４】
画像を表示する表示手段と、
前記表示手段に対応する位置に設けられた照明手段と
を備える表示装置の制御処理をコンピュータに実行させるプログラムであって、
前記照明手段を、所定のパターンで点灯させる制御ステップ
を含むことを特徴とするプログラム。
【請求項１５】
他の表示装置に接続され、画像を表示する表示手段を備える表示装置が複数個配置されてなる表示システムにおいて、
各前記表示装置は、
前記他の表示装置で表示される画像に対応する画像を前記表示手段に表示させる表示制御手段と、
前記表示手段と隣接して配置されている照明手段と、
前記表示手段に表示される画像に応じて前記照明手段の点灯を制御する制御手段と
を備えることを特徴とする表示システム。
【請求項１６】
前記照明手段は、さらに、隣接する前記他の表示装置の照明手段と連続するように配置されている
ことを特徴とする請求項１５に記載の表示システム。
【請求項１７】
各前記表示装置は、
前記表示手段に表示される画像の特徴量を検出する検出手段をさらに備え、
前記制御手段は、前記検出手段により検出された前記特徴量に基づいて、前記表示手段に表示される画像に対応する色彩で、前記照明手段を点灯させる
ことを特徴とする請求項１５に記載の表示システム。  
【請求項１８】
各前記表示装置は、
音声を出力する音声出力手段と、
前記音声出力手段により出力される音声の特徴量を検出する検出手段と
をさらに備え、
前記制御手段は、前記検出手段により検出された前記特徴量に基づいて、前記照明手段の点灯を制御する
ことを特徴とする請求項１５に記載の表示システム。
【請求項１９】
各前記表示装置は、
前記表示手段に表示される画像に対応する音声の出力を制御する制御手段をさらに備え、
前記制御手段は、前記表示手段に表示される画像に対応する音声が出力されるとき、所定のパターンで前記照明手段を点灯させる
ことを特徴とする請求項１５に記載の表示システム。
【請求項２０】
他の表示装置に接続され、画像を表示する表示手段を備える表示装置が複数個配置されてなる表示システムにおいて、
各前記表示装置は、
前記他の表示装置で表示される画像に対応する画像を前記表示手段に表示させる表示制御手段と、
前記表示手段に対応する位置に設けられた照明手段と、
所定の入力信号を入力する入力手段と、
前記入力手段により入力された前記入力信号に応じて、前記照明手段の点灯を制御する制御手段と
を備えることを特徴とする表示システム。
【請求項２１】
前記入力信号は、セキュリティ検知装置の検知信号、または電話機の着信信号である
ことを特徴とする請求項２０に記載の表示システム。
【請求項２２】
他の表示装置に接続され、画像を表示する表示手段を備える表示装置が複数個配置されてなる表示システムにおいて、
各前記表示装置は、
前記他の表示装置で表示される画像に対応する画像を前記表示手段に表示させる表示制御手段と、
前記表示手段に対応する位置に設けられた照明手段と、
前記照明手段を、所定のパターンで点灯させる制御手段と
を備えることを特徴とする表示システム。
【請求項２３】
所定の入力信号を入力する入力手段をさらに備え、
前記制御手段は、前記入力信号に応じて、前記照明手段の点灯パターンを変化させる
ことを特徴とする請求項２２に記載の表示システム。
【請求項２４】
前記入力信号は、温度を表す信号、湿度を表す信号、または明るさを表す信号である
ことを特徴とする請求項２３に記載の表示システム。
【発明の詳細な説明】
【技術分野】
【０００１】
本発明は、表示装置および方法、表示システム、並びにプログラムに関し、例えば、複数の表示装置全体に表示される１個の映像を、表示装置毎に区切られているという違和感を低減し、見やすい映像を表示することができるようにした表示装置および方法、表示システム、並びにプログラムに関するものである。
【背景技術】
【０００２】
図１は、従来のマルチスクリーンシステムの外観構成例が示されている。このシステムは、９個のテレビジョン受像機１−１乃至１−９（以下、個々に区別する必要がない場合には、単にテレビジョン受像機１と称する。他の場合においても同様とする）が、３×３に配置されて構成され、全体として１個の画像（図１の例では、地面と空からなる１つの風景画像）を表示することができる。
【０００３】
このように複数のテレビジョン受像機１からマルチスクリーンシステムを構築することで、１台のテレビジョン受像機１を有効利用しつつ、１台のテレビジョン受像機１の機能を超えた機能を実現することができる（拡大した画像を表示することができる）（特許文献１参照）。
【０００４】
【特許文献１】特開２００３−１９５８４３号公報
【発明の開示】
【発明が解決しようとする課題】
【０００５】
しかしながら、テレビジョン受像機１（図２）の正面には、通常、表示部１１を囲むように、スピーカユニット等からなるベズル１２部分（図１および図２中、ハッチが付されている部分）が設けられているので、このマルチスクリーンシステムで表示された１つの画像は、テレビジョン受像機１毎にベズル１２部分で区切られてしまい、非常に見づらいものとなってしまう課題があった。
【０００６】
本発明ではこのような状況に鑑みてなされたものであり、例えば複数のテレビジョン受像機からなるマルチスクリーンシステムにおいても、見やすい画像を表示することができるようにするものである。
【課題を解決するための手段】
【０００７】
本発明の第１の表示装置は、画像を表示する表示手段と、表示手段に対応する位置に設けられた照明手段と、表示手段に表示される画像に応じて照明手段の点灯を制御する制御手段とを備えることを特徴とする。
【０００８】
表示手段に表示される画像の特徴量を検出する検出手段をさらに備え、制御手段は、検出手段により検出された特徴量に基づいて、表示手段に表示される画像に対応する色彩で、照明手段を点灯させることができる。
【０００９】
音声を出力する音声出力手段と、音声出力手段により出力される音声の特徴量を検出する検出手段とをさらに備え、制御手段は、検出手段により検出された特徴量に基づいて、照明手段の点灯を制御することができる。
【００１０】
本発明の第１の表示方法は、画像を表示する表示手段と、表示手段に対応する位置に設けられた照明手段とを備える表示装置の、表示手段に表示される画像に応じて照明手段の点灯を制御する制御ステップを含むことを特徴とする。
【００１１】
本発明の第１のプログラムは、画像を表示する表示手段と、表示手段に対応する位置に設けられた照明手段とを備える表示装置の、表示手段に表示される画像に応じて照明手段の点灯を制御する制御ステップを含むことを特徴とする。
【００１２】
本発明の第１の表示装置および方法、並びにプログラムにおいては、画像を表示する表示手段と、表示手段に対応する位置に設けられた照明手段とを備える表示装置の、表示手段に表示される画像に応じて照明手段の点灯が制御される。
【００１３】
本発明の第２の表示装置は、画像を表示する表示手段と、表示手段に対応する位置に設けられた照明手段と、所定の入力信号を入力する入力手段と、入力手段により入力された入力信号に応じて、照明手段の点灯を制御する制御手段とを備えることを特徴とする。
【００１４】
入力信号は、セキュリティ検知装置の検知信号、または電話機の着信信号であるようにすることができる。
【００１５】
本発明の第２の表示方法は、画像を表示する表示手段と、表示手段に対応する位置に設けられた照明手段と、所定の入力信号を入力する入力手段とを備える表示装置の、入力手段により入力された入力信号に応じて、照明手段の点灯を制御する制御ステップを含むことを特徴とする。
【００１６】
本発明の第２のプログラムは、画像を表示する表示手段と、表示手段に対応する位置に設けられた照明手段と、所定の入力信号を入力する入力手段とを備える表示装置の、入力手段により入力された入力信号に応じて、照明手段の点灯を制御する制御ステップを含むことを特徴とする。
【００１７】
本発明の第２の表示装置および方法、並びにプログラムにおいては、画像を表示する表示手段と、表示手段に対応する位置に設けられた照明手段と、所定の入力信号を入力する入力手段とを備える表示装置の、入力手段により入力された入力信号に応じて、照明手段の点灯が制御される。
【００１８】
本発明の第３の表示装置は、画像を表示する表示手段と、表示手段に対応する位置に設けられた照明手段と、照明手段を、所定のパターンで点灯させる制御手段とを備えることを特徴とする。
【００１９】
所定の入力信号を入力する入力手段をさらに備え、制御手段は、入力信号に応じて、照明手段の点灯パターンを変化させることができる。
【００２０】
入力信号は、温度を表す信号、湿度を表す信号、または明るさを表す信号であるようにすることができる。
【００２１】
本発明の第３の表示方法は、画像を表示する表示手段と、表示手段に対応する位置に設けられた照明手段とを備える表示装置の、照明手段を、所定のパターンで点灯させる制御ステップを含むことを特徴とする。
【００２２】
本発明の第３のプログラムは、画像を表示する表示手段と、表示手段に対応する位置に設けられた照明手段とを備える表示装置の、照明手段を、所定のパターンで点灯させる制御ステップを含むことを特徴とする。
【００２３】
本発明の第３の表示装置および方法、並びにプログラムにおいては、画像を表示する表示手段と、表示手段に対応する位置に設けられた照明手段とを備える表示装置の、照明手段が、所定のパターンで点灯する。
【００２４】
本発明の第１の表示システムは、各表示装置は、他の表示装置で表示される画像に対応する画像を表示手段に表示させる表示制御手段と、表示手段と隣接して配置されている照明手段と、表示手段に表示される画像に応じて照明手段の点灯を制御する制御手段とを備えることを特徴とする。
【００２５】
照明手段は、さらに、隣接する他の表示装置の照明手段と連続するように配置されているようにすることができる。
【００２６】
各表示装置は、表示手段に表示される画像の特徴量を検出する検出手段をさらに備え、制御手段は、検出手段により検出された特徴量に基づいて、表示手段に表示される画像に対応する色彩で、照明手段を点灯させることができる。
【００２７】
各表示装置は、音声を出力する音声出力手段と、音声出力手段により出力される音声の特徴量を検出する検出手段とをさらに備え、制御手段は、検出手段により検出された特徴量に基づいて、照明手段の点灯を制御することができる。
【００２８】
各表示装置は、表示手段に表示される画像に対応する音声の出力を制御する制御手段をさらに備え、制御手段は、表示手段に表示される画像に対応する音声が出力されるとき、所定のパターンで照明手段を点灯させることができる。
【００２９】
本発明の第２の表示システムは、各表示装置は、他の表示装置で表示される画像に対応する画像を表示手段に表示させる表示制御手段と、表示手段に対応する位置に設けられた照明手段と、所定の入力信号を入力する入力手段と、入力手段により入力された入力信号に応じて、照明手段の点灯を制御する制御手段とを備えることを特徴とする。
【００３０】
入力信号は、セキュリティ検知装置の検知信号、または電話機の着信信号であるようにすることができる。
【００３１】
本発明の第３の表示システムは、各表示装置は、他の表示装置で表示される画像に対応する画像を表示手段に表示させる表示制御手段と、表示手段に対応する位置に設けられた照明手段と、照明手段を、所定のパターンで点灯させる制御手段とを備えることを特徴とする。
【００３２】
所定の入力信号を入力する入力手段をさらに備え、制御手段は、入力信号に応じて、照明手段の点灯パターンを変化させることができる。
【００３３】
入力信号は、温度を表す信号、湿度を表す信号、または明るさを表す信号であるようにすることができる。
【発明の効果】
【００３４】
本発明によれば、例えば複数のテレビジョン受像機からなるマルチスクリーンシステムにおいて、見やすい画像を表示することができる。
【発明を実施するための最良の形態】
【００３５】
以下に本発明の実施の形態を説明するが、本明細書に記載の発明と、発明の実施の形態との対応関係を例示すると、次のようになる。この記載は、本明細書に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００３６】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により出現、追加される発明の存在を否定するものではない。
【００３７】
本発明の第１の表示装置は、画像を表示する表示手段（例えば、図６の表示部４１）と、表示手段に対応する位置に設けられた照明手段（例えば、図６のLED照明部４２）と、表示手段に表示される画像に応じて照明手段の点灯を制御する制御手段（例えば、図６の制御部５１）とを備えることを特徴とする。
【００３８】
表示手段に表示される画像の特徴量を検出する検出手段（例えば、図６の画像信号処理部５９）をさらに備え、制御手段は、検出手段により検出された特徴量に基づいて、表示手段に表示される画像に対応する色彩で、照明手段を点灯させることができる（例えば、図５）。
【００３９】
音声を出力する音声出力手段（例えば、図６のスピーカ４３）と、音声出力手段により出力される音声の特徴量を検出する検出手段（例えば、図６の音声信号処理部６１）とをさらに備え、制御手段は、検出手段により検出された特徴量に基づいて、照明手段の点灯を制御することができる。
【００４０】
本発明の第１の表示方法は、画像を表示する表示手段と、表示手段に対応する位置に設けられた照明手段とを備える表示装置の、表示手段に表示される画像に応じて照明手段の点灯を制御する制御ステップ（例えば、図７のステップＳ２乃至ステップＳ５）を含むことを特徴とする。
【００４１】
本発明の第２の表示装置は、画像を表示する表示手段（例えば、図１６の表示部４１）と、表示手段に対応する位置に設けられた照明手段（例えば、図１６のLED照明部４２）と、所定の入力信号を入力する入力手段（例えば、図１６の通信部７１）と、入力手段により入力された入力信号に応じて、照明手段の点灯を制御する制御手段（例えば、図１６の制御部５１）とを備えることを特徴とする。
【００４２】
入力信号は、セキュリティ検知装置の検知信号、または電話機の着信信号であるようにすることができる（例えば、図１７）。
【００４３】
本発明の第３の表示装置は、画像を表示する表示手段（例えば、図６の表示部４１）と、表示手段に対応する位置に設けられた照明手段（例えば、図６のLED照明部４２）と、照明手段を、所定のパターンで点灯させる制御手段（例えば、図６の制御部５１）とを備えることを特徴とする（例えば、図１８、図１９）。
【００４４】
所定の入力信号を入力する入力手段（例えば、図１６の通信部７１）をさらに備え、制御手段は、入力信号に応じて、照明手段の点灯パターンを変化させることができる。
【００４５】
入力信号は、温度を表す信号、湿度を表す信号、または明るさを表す信号であるようにすることができる。
【００４６】
本発明の第１の表示システム（例えば、図３のマルチスクリーンシステム）は、各表示装置（例えば、図４のテレビジョン受像機３１）は、他の表示装置で表示される画像に対応する画像を表示手段に表示させる表示制御手段（例えば、図６の映像信号処理部５９）と、表示手段と隣接して配置されている照明手段（例えば、図６のLED照明部４２）と、表示手段に表示される画像に応じて照明手段の点灯を制御する制御手段（例えば、図６の制御部５１）とを備えることを特徴とする。
【００４７】
照明手段は、さらに、隣接する他の表示装置の照明手段と連続するように配置されているようにすることができる（例えば、図３）。
【００４８】
各表示装置は、表示手段に表示される画像の特徴量を検出する検出手段（例えば、図６の画像信号処理部５９）をさらに備え、制御手段は、検出手段により検出された特徴量に基づいて、表示手段に表示される画像に対応する色彩で、照明手段を点灯させることができる（例えば、図５）。
【００４９】
各表示装置は、音声を出力する音声出力手段（例えば、図６のスピーカ４３）と、音声出力手段により出力される音声の特徴量を検出する検出手段（例えば、図６の音声信号処理部６１）とをさらに備え、制御手段は、検出手段により検出された特徴量に基づいて、照明手段の点灯を制御することができる。
【００５０】
各表示装置は、表示手段に表示される画像に対応する音声の出力を制御する制御手段をさらに備え、制御手段は、表示手段に表示される画像に対応する音声が出力されるとき、所定のパターンで照明手段を点灯させることができる（例えば、図１４）。
【００５１】
本発明の第２の表示システムは、各表示装置は、他の表示装置で表示される画像に対応する画像を表示手段に表示させる表示制御手段（例えば、図１６の画像信号処理部５９）と、表示手段に対応する位置に設けられた照明手段（例えば、図１６のLED照明部４２）と、所定の入力信号を入力する入力手段（例えば、図１６の通信部７１）と、入力手段により入力された入力信号に応じて、照明手段の点灯を制御する制御手段（例えば、制御部５１）とを備えることを特徴とする。
【００５２】
入力信号は、セキュリティ検知装置の検知信号、または電話機の着信信号であるようにすることができる（例えば、図１７）。
【００５３】
本発明の第３の表示システムは、各表示装置は、他の表示装置で表示される画像に対応する画像を表示手段に表示させる表示制御手段（例えば、図６の画像信号処理部５９）と、表示手段に対応する位置に設けられた照明手段（例えば、図６のLED照明部４２）と、照明手段を、所定のパターンで点灯させる制御手段（例えば、図６の制御部５１）とを備えることを特徴とする。
【００５４】
所定の入力信号を入力する入力手段（例えば、図１６の通信部７１）をさらに備え、制御手段は、入力信号に応じて、照明手段の点灯パターンを変化させることができる。
【００５５】
図３は、本発明を適用したマルチスクリーンシステムの外観構成例を示している。このシステムは、９個のテレビジョン受像機３１−１乃至３１−９が３×３に配置されて構成されている。
【００５６】
テレビジョン受像機３１の正面には、図４に示すように、LCD（Liquid Crystal Display）等から構成される表示部４１と、それを囲むように、かつ他のテレビジョン受像機３１と連続するように、LED照明部４２（この例の場合、表示部４１の左右に配置されたLED照明部４２Ｌ，４２Ｒと、上下に配置された４２Ｕ，４２Ｄ）が設けられている。LED照明部４２は、赤、緑、青の発光ダイオード（LED：Light Emitting Diode）が多数配列されて構成されており、表示部４１に表示される画像の色彩に応じた色彩で点灯されるようになされている。
【００５７】
すなわち、図５に示すように、各テレビジョン受像機３１の表示部４１全体に１つの画像（地面と空からなる風景画像）を表示しても、下３列のテレビジョン受像機３１−７乃至３１−９のLED照明部４２−７乃至４２−９が、その表示部４１に表示されている地面部分の画像に対応する色彩で点灯し、上２列のテレビジョン受像機３１−１乃至３１−６のLED照明部４２−１乃至４２−６が、その表示部４１に表示されている空部分の画像に対応する色彩で点灯するので、従来の場合のように、画像がベズル部分で区切られているという違和感が低減され、全体として見やすい画像を映し出すことができる。
【００５８】
なおスピーカ４３Ｌ，４３Ｒ（図４）は、テレビジョン受像機３１の正面に設けられているが、外部からは見えないように組み込まれている。
【００５９】
図６は、テレビジョン受像機３１の電気的構成例を示している。
【００６０】
図示せぬアンテナで受信されたテレビジョン放送信号は、チューナ５２に供給され、制御部５１の制御の下、検波、復調される。チューナ５２の出力は、ＱＰＳＫ(Quadrature Phase Shift Keying)復調回路５３に供給され、制御部５１の制御の下、ＱＰＳＫ復調される。ＱＰＳＫ復調回路５３の出力は、エラー訂正回路５４に供給され、制御部５１の制御の下、エラーが検出、訂正され、デマルチプレクサ５５に供給される。
【００６１】
デマルチプレクサ５５は、制御部５１の制御の下、エラー訂正回路５４の出力を、必要に応じてデスクランブルし、所定のチャンネルのＴＳ(Transport Stream)パケットを抽出する。そして、デマルチプレクサ５５は、画像データ（ビデオデータ）のＴＳパケットを、ＭＰＥＧ(Moving Picture Experts Group)ビデオデコーダ５６に供給するととともに、音声データ（オーディオデータ）のＴＳパケットを、ＭＰＥＧオーディオデコーダ６０に供給する。
【００６２】
ＭＰＥＧビデオデコーダ５６は、デマルチプレクサ５５から供給される画像データのＴＳパケットを、ＭＰＥＧデコードし、フレームメモリ５７に供給する。
【００６３】
フレームメモリ５７は、ＭＰＥＧビデオデコーダ５６が出力する画像データを、一時記憶し、画像表示処理部５８に供給する。画像表示処理部５８は、フレームメモリ５７から供給される画像データを、表示部４１に表示するのに適した画像データに変換するとともに、その画像データを表示部４１に供給して表示させる。
【００６４】
画像信号処理部５９は、表示部４１に１個の映像（図４）が表示されるように、またはマルチスクリーンシステム全体で１個の画像（図５）が表示されるための所定の画像が表示部４１に表示されるように、フレームメモリ５７に記憶された画像データの拡大縮小等を行う。また、画像信号処理部５９は、フレームメモリ５７に記憶された画像の特徴量を抽出し、制御部５１に供給する。
【００６５】
ＭＰＥＧオーディオデコーダ６０は、デマルチプレクサ５５から供給される音声データのＴＳパケットを、ＭＰＥＧデコードする。ＭＰＥＧオーディオデコーダ６０でのデコードにより得られるＬチャンネルとＲチャンネルの音声データは、スピーカ４３Ｌと４３Ｒに、それぞれ供給される。
【００６６】
音声信号処理部６１は、デマルチプレクサ５５から供給された音声データから音声の特徴量を検出し、制御部５１に供給する。
【００６７】
駆動部６２は、制御部５１の制御の下、スピーカ４３を駆動し、それからの音声出力を制御する。
【００６８】
駆動部６３は、制御部５１の制御の下、LED照明部４２を駆動し、それらの点灯を制御する。
【００６９】
ＩＲ受信部６４は、リモコン６５の操作に対応してリモコン６５から送信されてくる赤外線を受信（受光）し、その受信した赤外線を光電変換して、その結果得られる信号を、制御部５１に供給する。
【００７０】
制御部５１は、ＣＰＵ、ＥＥＰＲＯＭ(ELEDtrically Erasable Programable Read Only Memory)、およびＲＯＭ(Read Only Memory)等から構成されており、ＩＲ受信部６４から供給されるコマンドに対応し、チューナ５２、ＱＰＳＫ復調回路５３、エラー訂正回路５４、デマルチプレクサ５５、画像信号処理部５９、音声信号処理部６１、駆動部６２、および駆動部６３を制御する。
【００７１】
次に、LED照明部４２の点灯の制御処理を、図７のフローチャートを参照して説明する。
【００７２】
ステップＳ１において、画像信号処理部５９は、１フレーム分の画像がフレームメモリ５７に入力されて記憶されるまで待機し、その分の画像が記憶されたとき、ステップＳ２に進み、フレームメモリ５７に記憶された１フレーム分の画像の１個の画素値を読み取る。そして、ステップＳ３において、画像信号処理部５９は、読み取った画素値の輝度値および色差値に対応するレジスタに１を加算する。
【００７３】
輝度値および色差値が８ビットで表されている場合、２５６個の各輝度値に対応するレジスタと、２５６個の各色差値に対応するレジスタが、画像信号処理部５９に内蔵されているので、そのレジスタの中の、読み取られた画素値の輝度値および色差値に対応するレジスタに１が加算される。
【００７４】
ステップＳ４において、画像信号処理部５９は、フレームメモリ５７に記憶されている１フレーム分の画像のすべての画素値を読み取ったか否かを判定し、まだ読み取っていない画素値が残っていると判定した場合、ステップＳ２に戻り、他の画素値を読み取って、ステップＳ３以降の処理を実行する。
【００７５】
１フレーム分の画素値が読み取られるまで、ステップＳ２乃至ステップＳ４の処理を繰り返すことにより、レジスタの値により、図８に示すような、１フレーム分の輝度値および色差値についてのヒストグラムが生成されることになる。
【００７６】
ステップＳ４で、すべての画素値が読み取られたと判定された場合、ステップＳ５に進み（輝度値および色差値についてのヒストグラムが生成されたとき）、画像信号処理部５９は、ステップＳ４で生成した輝度値および色差値のヒストグラムに基づいて、LED照明部４２の輝度値および色差値を算出する。
【００７７】
具体的には、例えばヒストグラムの最も頻度が高い輝度値および色差値が、LED照明部４２の輝度値および色差値とされる。
【００７８】
なお輝度値および色差値のそれぞれの平均値を、LED照明部４２の輝度値および色差値にしたり、ダイナミックレンジに基づいて、輝度値および色差値を決定することもできる。
【００７９】
ステップＳ５において、画像信号処理部５９は、ステップＳ４で決定した輝度値および色差値を制御部５１に通知し、制御部５１は、駆動部６３を制御して、その輝度値および色差値に基づいて、LED照明部４２を点灯させる。
【００８０】
すなわち図５の例においては、例えば、テレビジョン受像機３１−１のLED照明部４２−１は、表示部４１に空部分の画像が表示されるので、その空部分の画像に対応した色彩で点灯する。一方テレビジョン受像機３１−７のLED照明部４２−７は、表示部４１に地面部分の画像が表示されるので、その地面部分の画像に対応する色彩で点灯する。
【００８１】
このように各テレビジョン受像機３１が、表示部４１に表示される画像に応じてLED照明部４２の点灯を制御するようにしたので、テレビジョン受像機３１毎に区切られているという違和感が低減され、全体として見やすい映像を映し出すことができる。
【００８２】
その後、ステップＳ１に戻り、それ以降の処理が行われ、次に表示される画像についても同様にしてLED照明部４２が点灯する。
【００８３】
なお以上においては、表示部４１に表示される１フレーム画像の輝度値および色差値に基づいて、１つの輝度値および色差を決定し、それに従ってLED照明部４２Ｌ，４２Ｕ，４２Ｒ，４２Ｄが同じように点灯したが、例えば、図９Ａに示すように、表示部４１の左半分の領域ＲＬに表示される画像部分の輝度値および色差値に基づいてLED照明部４２Ｌの輝度値および色差値を決定し、表示部４１の右半分の領域ＲＲに表示される画像部分の輝度値および色差値に基づいてLED照明部４２Ｒの輝度値および色差値を決定することができる。
【００８４】
そして図９Ｂに示すように、表示部４１の上半分の領域ＲＵに表示される画像部分の輝度値および色差値に基づいてLED照明部４２Ｕの輝度値および色差値を決定し、表示部４１の下半分の領域ＲＤに表示される画像部分の輝度値および色差値に基づいてLED照明部４２Ｄの輝度値および色差値を決定することもできる。
【００８５】
また、図１０に示すように、LED照明部４２をさらに分割し、そのLED照明部４２に対応する表示部４１の領域Ｒの輝度値および色差値に基づいて、各LED照明部４２の輝度値および色差値を決定することができる。
【００８６】
例えば、領域Ｒｂに表示される画像部分の輝度値および色差値に基づいて、LED照明部４２Ｕｂの輝度値および色差値が決定され、領域Ｒｆに表示される画像部分の輝度値および色差値に基づいて、LED照明部４２Ｒｆの輝度値および色差値が決定される。
【００８７】
このように表示部４１に表示される小領域に応じて、その領域に近いLED照明部４２の輝度値および色差値を決定し、LED照明部４２を点灯させれば、マルチスクリーンシステムで表示される画像を、より見やすいものとすることができる。
【００８８】
なお小領域に表示される画像部分に基づくLED照明部４２の点灯制御は、図７に示した処理が、領域毎に行われることによって実現される。
【００８９】
またマルチスクリーンシステムでは、１つの画像（以下、元画像と称する）を１部のテレビジョン受像機３１に表示し、その元画像をズームした画像（以下、ズーム画像と称する）を全体（元画像を表示するテレビジョン受像機３１を除くテレビジョン受像機３１全体）に表示することができる。
【００９０】
図１１の例では、元画像（女性の上半身の画像）がテレビジョン受像機３１−４の表示部４１−４に表示され、ズーム画像（女性の顔部分の画像）がテレビジョン受像機３１−１乃至３１−３の表示部４１−１乃至４１−３、およびテレビジョン受像機３１−５乃至５１−９の４１−５乃至４１−９に表示されている。
【００９１】
しかしながら、この場合、元画像がズーム画像に対して小さいため、元画像の認識が困難になる。
【００９２】
そこで本マルチモニタシステムでは、このようにズーム画像が全体に表示されるとともに、元画像が一部に表示される場合、図１２に示すように、元画像が表示されているLED照明部４２−４を、他のテレビジョン受像機３１のLED照明部４２とは異なるように点灯させることができる。その結果、元画像の表示を容易に認識することができる。
【００９３】
またマルチスクリーンシステムでは、図１３に示すように、各表示部４１にそれぞれ異なる画像を表示させ、１つの画像に対応する音声を出力させることができるが、この場合、ユーザは、どの画像の音声が出力されているのか、認識が困難になる。
【００９４】
そこで本マルチスクリーンシステムでは、このようにそれぞれ異なる画像が表示され、その中の１個の画像に対応する音声が出力される場合、出力される音声に対応する画像が表示部４１に表示されるテレビジョン受像機３１のLED照明部４２を、他のテレビジョン受像機３１のLED照明部４２と異なるように点灯させることができる。これにより音声に対応する画像を容易に認識することができる。
【００９５】
例えば、図１４の例では、テレビジョン受像機３１−１の表示部４１−１に表示されている画像に対応する音声がスピーカ４３から出力されているので、そのLED照明部４２−１を、他のテレビジョン受像機３１のLED照明部４２と異なるように点灯されている。
【００９６】
またその場合、出力されている音声の特徴量に応じてLED照明部４２の照明を制御することもできる。このとき、音声信号処理部６１（図６）は、音声のレベルを検出し、制御部５１に供給する。そして制御部５１は、音声信号処理部６１から供給された音声のレベルに応じて、駆動部６３を制御して、LED照明部４２の点灯を変化させる。
【００９７】
なお音声を各テレビジョン受像機３１のスピーカ４３（図４）から出力させるのではなく、図１５に示すように、システムとして１個のスピーカ４３を設けることもできる。
【００９８】
図１６は、テレビジョン受像機３１の他の構成例を示している。このテレビジョン受像機３１には、例えば、電話機、セキュリティシステムとしての検知器（共に図示せぬ）と接続され、それらから着信信号や異常検知信号を入力する通信部７１がさらに設けられている。他の部分は、図６における場合と同様であるので、その説明は省略する。
【００９９】
例えば、マルチスクリーンシステムに、図５に示すような１個の画像が表示されている場合において、テレビジョン受像機３１−１に接続された、検知器から異常が検知された旨が信号を入力したとき、テレビジョン受像機３１−１の制御部５１は、画像信号処理部５９を制御して、図１７に示すように、例えば、侵入者を表す画像を表示させるとともに、駆動部６３を制御して、LED照明部４２−１を、他の受像機のLED照明部４２と異なるように点灯（例えば点滅）させることができる。
【０１００】
また以上においては、表示される画像や入力された所定の信号に応じてLED照明部４２の点灯を制御したが、LED照明部４２を、単に照明として利用することができる。
【０１０１】
例えば、図１８（テレビジョン受像機３１に画像が表示されていない場合）または図１９（テレビジョン受像機３１に何らかの映像が表示されている場合）に示すように、所定のパターンでLED照明部４２を点灯（図中、黒色で示されている）させることができる。
【０１０２】
またこの点灯パターンを、マルチスクリーンシステムがある環境（例えば、温度、湿度、明るさ）に応じて変化させることもできる。なおこの場合、図１６の通信部７１は、温度計測器、湿度計測器、または照度計（共に図示せぬ）と接続され、それらからの温度を表す信号、湿度を表す信号、または明るさを表す信号を入力して、制御部５１に供給する。制御部５１は、入力された信号に応じて、駆動部６３を介して、LED照明部４２の点灯を制御する。
【０１０３】
上述した一連の処理は、ハードウエアにより実現させることもできるが、ソフトウエアにより実現させることもできる。一連の処理をソフトウエアにより実現する場合には、そのソフトウエアを構成するプログラムがコンピュータにインストールされ、そのプログラムがコンピュータで実行されることより、上述したテレビジョン受像機３１が機能的に実現される。
【０１０４】
図２０は、コンピュータ１０１構成例を示している。CPU１１１にはバス１１５を介して入出力インタフェース１１６が接続されており、CPU１１１は、入出力インタフェース１１６を介して、ユーザから、キーボード、マウスなどよりなる入力部１１８から指令が入力されると、例えば、ROM１１２、ハードディスク１１４、またはドライブ１２０に装着される磁気ディスク１３１、光ディスク１３２、光磁気ディスク１３３、若しくは半導体メモリ１３４などの記録媒体に格納されているプログラムを、RAM１１３にロードして実行する。これにより、上述した各種の処理が行われる。さらに、CPU１１１は、その処理結果を、例えば、入出力インタフェース１１６を介して、LCDなどよりなる表示部１１７に必要に応じて出力する。なお、プログラムは、ハードディスク１１４やROM１１２に予め記憶しておき、コンピュータ１０１と一体的にユーザに提供したり、磁気ディスク１３１、光ディスク１３２、光磁気ディスク１３３，半導体メモリ１３４等のパッケージメディアとして提供したり、衛星、ネットワーク等から通信部１１９を介してハードディスク１１４に提供することができる。
【０１０５】
なお、本明細書において、記録媒体により提供されるプログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【０１０６】
【図１】従来のマルチスクリーンシステムの外観の構成例を示す図である。
【図２】図１のテレビジョン受像機の外観構成例を示す図である。
【図３】本発明を適用したマルチスクリーンシステムの外観構成例を示す図である。
【図４】図３のテレビジョン受像機の外観構成図である。
【図５】図３のマルチスクリーンシステムの表示例を示す図である。
【図６】図４のテレビジョン受像機の電気的構成例を示すブロック図である。
【図７】LED照明制御処理を説明するフローチャートである。
【図８】図７のステップＳ２乃至ステップＳ４の処理により生成されるヒストグラムの例を示す図である。
【図９】特徴量の算出方法を説明する図である。
【図１０】特徴量の算出方法を説明する他の図である。
【図１１】図３のマルチスクリーンシステムの他の表示例を示す図である。
【図１２】図３のマルチスクリーンシステムの他の表示例を示す図である。
【図１３】図３のマルチスクリーンシステムの他の表示例を示す図である。
【図１４】図３のマルチスクリーンシステムの他の表示例を示す図である。
【図１５】本発明を適用したマルチスクリーンシステムの他の構成例を示す図である。
【図１６】図４のテレビジョン受像機の他の電気的構成例を示すブロック図である。
【図１７】図３のマルチスクリーンシステムの他の表示例を示す図である。
【図１８】図３のマルチスクリーンシステムの他の表示例を示す図である。
【図１９】図３のマルチスクリーンシステムの他の表示例を示す図である。
【図２０】パーソナルコンピュータの構成例を示すブロック図である。
【符号の説明】
【０１０７】
３１  テレビジョン受像機，  ４１  表示部，  ４２  LED照明部，  ４３  スピーカ
５１  制御部，  ５９  画像信号処理部，  ６１  音声信号処理部，  ６２  駆動部，  ６３  駆動部，  ６４  ＩＲ受信部，  ６５  リモコン，  ７１  通信部
【図１】
2006042191.tif 000003
【図２】
2006042191.tif 000004
【図３】
2006042191.tif 000005
【図４】
2006042191.tif 000006
【図５】
2006042191.tif 000007
【図６】
2006042191.tif 000008
【図７】
2006042191.tif 000009
【図８】
2006042191.tif 000010
【図９】
2006042191.tif 000011
【図１０】
2006042191.tif 000012
【図１１】
2006042191.tif 000013
【図１２】
2006042191.tif 000014
【図１３】
2006042191.tif 000015
【図１４】
2006042191.tif 000016
【図１５】
2006042191.tif 000017
【図１６】
2006042191.tif 000018
【図１７】
2006042191.tif 000019
【図１８】
2006042191.tif 000020
【図１９】
2006042191.tif 000021
【図２０】
2006042191.tif 000022